(57)【要約】【課題】有用藻類の藻場（海藻群落）を造成する際に、植食性魚類等による有用藻類の食害を抑制できるようにする魚礁及び漁場造成手法（工法）。【解決手段】藻類を着生させる着生部２と、魚食性大型魚類５が棲息する魚礁ブロック１からなる第１魚礁部と、この魚食性大型魚類５が餌料とする非植食性小型魚類６が棲息し、藻類の着生部を有する柱状構造部３からなる第２魚礁部とから構成されるものであり、植食性魚類を威嚇する魚食性大型魚類５を棲息させることで、藻場に植食性魚類が寄り付かなくなる。【選択図】　　　図１
2004089008.tif 000002
【特許請求の範囲】
【請求項１】
藻類を着生させる着生部を備え、その着生部を海底に沈設させて藻類を育成する藻場の造成方法において、前記着生部に着生する藻類を餌料とする植食性魚類による食害を抑制するために、その植食性魚類を威嚇する魚食性大型魚類を前記着生部に棲息させるように構成したことを特徴とする藻場の造成方法。
【請求項２】
前記着生部に非植食性小型魚類を柱状構造物によって集魚・棲息させることによって、前記魚食性大型魚類を前記着生部付近に棲息させるように構成したことを特徴とする藻場の造成方法。
【請求項３】
藻類を着生させる着生部と、魚食性大型魚類が棲息する第１魚礁部と、この魚食性大型魚類が餌料とする非植食性小型魚類が棲息する第２魚礁部とを具備したことを特徴とする藻場造成礁。
【請求項４】
前記第１魚礁部を構成する複数の魚礁ブロックを設け、この魚礁ブロック上に前記着生部を形成するとともに、この着生部上に前記第２魚礁部を構成する柱状構造部を形成したことを特徴とする請求項３記載の藻場造成礁。
【発明の詳細な説明】
【０００１】
【発明の属する技術分野】
本発明は、有用藻類の藻場（海藻群落）を造成する際に、植食性魚類等による食害の抑制を目的とした藻場の造成方法及び藻場造成礁に関する。
【０００２】
【発明が解決しようとする課題】
従来より、沿岸岩礁域において、食用となるコンブ類等の褐藻類や、ウニ、アワビなどの飼料等に用いられるアラメ、カジメ等の海藻、或いは有用魚類の稚魚や未成魚の餌場等の育成環境を提供するホンダワラ類などの大型褐藻類の藻場造成が広く行われている。
【０００３】
ところで、近年の沿岸岩礁域では、磯焼け現象等の様々な原因により藻場が荒廃しているという問題が深刻化している。これにより、コンブ類、ホンダワラ類等の有用藻類からなる藻場が消滅して、これに伴って、水産資源に多大な影響と損失を与えている。これは、地球上の気温上昇による水温の上昇等に伴い、有用海藻群の生長に不可欠と言われている栄養塩や鉄イオン等の海水中の栄養不足、藻食動物の過剰な摂食等の様々な要因が考えられる。
【０００４】
とりわけ、黒潮などの暖流沿岸部においては磯焼けの主な要因は、植食性魚類の食害が大きな要因になっていると言われている。特に、アイゴ、ブダイ等の植食性魚類は海藻類の生長点付近を好んで摂食してしまう為、藻類の生育が低下してしまい、藻場衰退の大きな原因となっている。
【０００５】
上述した問題に対して、従来では藻場の着生気質全体を、食害防止網、或いは、ブロック状の籠体に形成させた金網などを用いて囲包状態にする等の魚避手段により食害防止方法が行われていた。
【０００６】
しかしながら、藻場の着生基質全体を網や金網で囲包する方法は、耐波性が悪く、防止網の棄損又は破損により、漁網が海中へ流出してしまうことによる環境汚染に繋がる虞もあり、また、着生基質全体を網や金網で囲包する方法ではコストがかかるとともに、これらの維持管理にも問題があった。
【０００７】
また、長期間の放網状態において、防止網や金網に貝類や海藻類が着生し目詰まりすることがあり、結果的に遮光性が悪化して、効果的に光合成を行うことが困難になり、藻類の育成の妨げとなっていた。
【０００８】
本発明は上記課題に基づいてなされたものであり、アイゴ、ブダイ等の植食性魚類から藻場の有用藻類の食害を防ぐ為、植食性魚類が寄り付かない魚食性大型魚類の好適な棲息環境を藻場造成礁に設けることにより、植食性魚類が寄り付かないという生態的な競合関係を利用することで、コンブ類、ホンダワラ類等の有用藻類の繁茂を促進することができ、磯焼け現象などによって荒廃している沿岸域の環境改善を図ることができる藻場の造成方法及び藻場造成礁を提供することを目的とする。
【０００９】
【課題を解決するための手段】
本発明の請求項１記載の藻場の造成方法は、藻類を着生させる着生部を備え、その着生部を海底に沈設させて藻類を育成する藻場の造成方法において、前記着生部に着生する藻類を餌料とする植食性魚類による食害を抑制するために、その植食性魚類を威嚇する魚食性大型魚類を前記着生部に棲息させるように構成したものである。
【００１０】
これにより、藻場を形成する造成体に、魚食性大型魚類を蝟集させて棲息させる空間を設けたものであるので、着生気質部に着生する有用藻類の繁茂の妨げとなる植食性魚類が藻場に寄り付かなくなる。
【００１１】
また、請求項２記載の藻場の造成方法は、前記着生部に非植食性小型魚類を柱状構造物によって集魚・棲息させることによって、前記魚食性大型魚類を前記着生部付近に棲息させるように構成したものである。
【００１２】
これにより、藻場を形成する造成体に、前記魚食性魚類が好んで捕食する藻食性のない小型魚類を蝟集させる柱状の棲息空間を設けたことにより、これに伴って魚食性大型魚類が永続的に棲息し、この魚食性大型魚類に威嚇される植食性魚類が藻場に寄り付かなくなる。
【００１３】
また、請求項３記載の藻場造成礁は、藻類を着生させる着生部と、魚食性大型魚類が棲息する第１魚礁部と、この魚食性大型魚類が餌料とする非植食性小型魚類が棲息する第２魚礁部とを具備したものである。
【００１４】
これにより、藻場の育成を活性化させる藻礁基盤となる着生部に、魚食性魚類と前記魚食性魚類が好んで捕食する藻食性のない小型魚類を蝟集させる魚礁部をそれぞれ設けた棲息空間を組み合わせて構成させた藻場造成礁であるので、前記藻場に繁茂する有用藻類を摂食する植食性魚類が藻場に寄り付かなくなる。
【００１５】
また、請求項４記載の藻場造成礁は、前記第１魚礁部を構成する複数の魚礁ブロックを設け、この魚礁ブロック上に前記着生部を形成するとともに、この着生部上に前記第２魚礁部を構成する柱状構造物を形成したものである。
【００１６】
これにより、第１魚礁部をコンクリートや金属材料等を用いて、ブロック状に構成させて、これらを組み合わせることで種々の形状、大きさの魚礁空間とすることができるので、設置条件や場所に応じた大きさの魚礁を容易に製造することができる。また、前記第１魚礁部が基台となり、この上部に所望の大きさの着生部を形成させて、この着生部上に前記第２魚礁部である柱状構造物を適宜な位置に形成することで、所望する魚類の棲息空間を形成することができる。
【００１７】
【発明の実施形態】
以下、本発明の実施形態を添付図を参照して説明する。図１は本発明の藻場造成礁の一実施形態による斜視図である。図２は本発明の藻場造成礁の各構造物の分解形態を示す斜視図、図３は本発明の藻場造成礁を沈設した実施形態の側面図であり、図４は本発明の藻場造成礁の使用状態である一実施例を示す斜視図である。これらの図に基づいて各部の構成を説明する。
【００１８】
図１に示すように、本実施例の藻場の造成方法は、魚食性大型魚類の棲息空間で、魚礁ブロック１からなる第１魚礁部と、藻場を繁茂させる着生基質面２´を有する着生部２と、藻類の着生又は付着効果を有し、これらを適宜な位置に立設することで、非植食性魚類の棲息空間を形成する柱状構造部３からなる第２魚礁部とにより構成されるものである。これにより、魚食性大型魚類の好適な棲息環境を創ることができるので、藻類を摂食する植食性魚類が藻場に近寄らなくなるものである。
【００１９】
次に本実施例の藻場造成礁の詳細な利用方法について図１、図２に基づいて説明する。本発明の藻場造成礁は、魚礁ブロック１を基台としている。この魚礁ブロック１は略コ字状や円筒状等の複数の空洞型の魚礁ブロック１から形成される。前記魚礁ブロック１は、魚食性大型魚類の生態性質を考慮して形成されるものであり、内部に魚食性大型魚類が棲息する空間部１ａを備えている。この空間部１ａに、例えば、着生面や付近の海底に棲息するヒラメや沿岸の藻類の多い岩礁などを好むマハタやクエ等のハタ科の魚食性大型魚類を効果的に蝟集することができる他、回遊性の強い魚食性魚類の集魚効果も得ることが出来る。
【００２０】
また、前記基台となる魚礁ブロック１と連接、又は結合させて成型する藻類の着成基質面２´を有する着生部２は、合金製の鋳物、コンクリートや自然石などの割石、砕石、又は貝殻等を用いた多様な材質により形成される藻類着生基盤である。また、これらの材質材料を用いることで、微細で複雑な凹凸状などにより表面を形成することも出来るので、所望する有用藻類の成長を促すことができる。これにより、ワカメ、コンブ類等の隠花藻類は勿論、カジメ、アラメ、ホンダワラ等の大型褐藻類が群落状に繁茂する藻場造成が可能となるものである。
【００２１】
また、前記着生部２に接合又は連接される柱状構造部３は、鉄塔状や円柱状などで形成された構造物であり、コンクリートや鉄などの様々な材料を用いて形成することが可能である。更に、前記柱状構造部２は適宜な位置に立設させることで集魚効果を得ることが出来るもので、前記複数の柱状構造部３間は魚礁空間として構成されるものであり、小型魚類の隠棲性質等を考慮して集魚効果を高めることを目的とした成形部材３ａを備えるものである。前記魚礁空間には、主に、動物性プランクトンなどを餌料とする非植食性小型魚類の好適な棲息環境を形成するものであり、例えば、体長約１０センチ程の小型魚であるネンブツダイをはじめ、カタクチイワシ、マイワシ等のニシン科の小型魚類やアジ科の魚類である、シマアジ、マアジ等の未成魚を蝟集させることができるようになる。
【００２２】
また、本実施例の藻場の造成方法は、図２に示すように、簡素な構造物により構成されるもので、それぞれの構造部を連接するなどして組み合わせて形成してもよいし、これらをコンクリートや鉄などで一体型の構造物として形成してもよい。更には、形状、配列、大きさなどに規則性がなく、所望の用途に応じて自由に組み合わせることが可能である。
【００２３】
また、図３に示した本実施例の藻場造成礁を沿岸域の海底部７に沈設させる実施形態によると、魚食性大型魚類５の棲息しやすい空間部１ａを備える魚礁ブロック１が基台となり、着生部２，柱状構造部３，更に、これに設けた成形部材３ａにより非植食性小型魚類６を蝟集することができるようになる。
【００２４】
以上のように、魚食性大型魚類５が棲息する魚礁空間を藻場に造成したことにより、これに威嚇される有用藻類を摂食するアイゴ、ブダイが藻場に寄り付かなくなり、結果的に藻場に繁茂する有用藻類を摂食するアイゴ、ブダイなどの植食性魚類（図示しない）による食害を抑制することができるようになる。
【００２５】
また、図４に示した本発明の藻場造成礁の一実施例は、既存の魚礁成形体８と組み合わせて漁場造成することにより、図中の漁場全体に、魚食性大型魚類５の集魚効果と植食性魚類から藻類の食害を抑制することができる漁場造成手法（工法）である。前述したように、本実施例の藻場造成手法は、設置する条件や海域、場所などに応じて、また、既存の魚礁成形体の近傍に沈設することにより広域な藻場の食害を抑制することも可能なものである。これにより、有用な藻類の繁茂と魚類の蝟集作用を兼ね備え、水産資源の保護に寄与しうるものである。
【００２６】
さらに、本発明の藻場の造成方法及び藻場造成礁では、忌避剤のような薬品の使用、棘状などで構成する物理的な防止具、または防止魚網などを用いることがないものであり、魚類の生態的競合を利用することで、藻場の食害を抑制することを可能にしたものであり、環境汚染が生じることもなく、また、これらを回収する必要もないので、永続した有用藻類の藻場育成が可能となる。
【００２７】
尚、本発明は上記実施形態に限定されるものではなく、本発明の要旨の範囲内において、種々の変形実施が可能である。例えば、魚礁ブロック１や柱状構造部３の形状は適宜選定すればよい。
【００２８】
【発明の効果】
本発明の請求項１記載の藻場の造成方法は、藻類を着生させる着生部を備え、その着生部を海底に沈設させて藻類を育成する藻場の造成方法において、前記着生部に着生する藻類を餌料とする植食性魚類による食害を抑制するために、その植食性魚類を威嚇する魚食性大型魚類を前記着生部に棲息させるように構成したものであるから、植食性魚類は、魚食性大型魚類の棲息区域には、近づかない生態的競合関係があるので、魚食性大型魚類を藻場に棲息させることにより、藻場の食害を抑制するとともに、永続的な藻場の育成を図ることができる。
【００２９】
また、請求項２記載の藻場の造成方法は、前記着生部に非植食性小型魚類を柱状構造物によって集魚・棲息させることによって、前記魚食性大型魚類を前記着生部付近に棲息させるように構成したものであるから、前記魚食性大型魚類が好んで捕食する、藻食性のない小型魚類の好適な柱状の棲息空間を設けたので、前記魚食性大型魚類が藻場に蝟集し、永続的に棲息するようになる。
【００３０】
また、請求項３記載の藻場造成礁は、藻類を着生させる着生部と、魚食性大型魚類が棲息する第１魚礁部と、この魚食性大型魚類が餌料とする非植食性小型魚類が棲息する第２魚礁部とを具備したものであるから、これらを組み合わせて構成させることが可能な簡素な構成であるので、凡用性に優れたものであり、製造や沿岸部への設置が容易にできるものである。
【００３１】
また、請求項４記載の藻場造成礁は、前記請求項３において、前記第１魚礁部を構成する複数の魚礁ブロックを設け、この魚礁ブロック上に前記着生部を形成するとともに、この着生部上に前記第２魚礁部を構成する柱状構造部を形成したものであるから、藻類の着生部に対して影となる部分などが少なく、藻類をより効果的に繁茂させることができる。
【図面の簡単な説明】
【図１】本発明の一実施例を示す斜視図である。
【図２】本発明の一実施例の各構造物の分解状態を示す斜視図である。
【図３】本発明の一実施例を沈設した実施形態の側面図である。
【図４】図４は本発明の藻場造成礁の使用状態である一実施例を示す斜視図である。
【符号の説明】
１　　魚礁ブロック
２　　着生面
３　　柱状構造部
５　　魚食性大型魚類
６　　非植食性小型魚類
【図１】
2004089008.tif 000003
【図２】
2004089008.tif 000004
【図３】
2004089008.tif 000005
【図４】
2004089008.tif 000006